(57)【要約】【課題】既存のスロットを有効利用することによりスロットを増やすことなくラジオ放送の受信を可能にし、装置の大型化やコスト上昇の問題を解決したデジタル放送受信装置を提供することである。【解決手段】カード２０が装着された２種類の形状のアダプタ３０を装着可能なスロット４７を有するデジタル放送受信装置４０において、スロット４７は、装着されたアダプタ３０の形状の違いを検出する検出スイッチ４９を備え、３．３Ｖ用アダプタを検出した場合、ラジオ用カードであると判別し、ラジオ放送の受信を許可し、５Ｖ用アダプタを検出した場合、スクランブル解除用カードであると判別し、所定のスクランブル放送の解除を許可する構成とする。【選択図】図１
2008294892.tif 000002
【特許請求の範囲】
【請求項１】
カードと、該カードが装着されるアダプタと、２種類の形状のアダプタを装着可能なスロットと制御部とを有するデジタル放送受信装置と、を含むデジタル放送受信システムにおいて、
前記スロットは、装着されたアダプタの形状の違いを検出する検出スイッチを備え、
前記デジタル放送受信装置の制御部は、
一方の形状のアダプタを検出した場合、ラジオ用カードであると判別し、ラジオ放送の受信を許可し、
他方の形状のアダプタを検出した場合、スクランブル解除用カードであると判別し、所定のスクランブル放送の解除を許可することを特徴とするデジタル放送受信システム。
【請求項２】
カードと、該カードが装着されるアダプタと、２種類の形状のアダプタを装着可能なスロットと制御部とを有するデジタル放送受信装置と、を含むデジタル放送受信システムにおいて、
前記スロットは、装着されたアダプタの形状の違いを検出する検出スイッチを備え、
前記デジタル放送受信装置の制御部は、
一方の形状のアダプタを検出した場合、スクランブル解除兼ラジオ用カードであると判別し、所定のスクランブル放送の解除とラジオ放送の受信とを許可し、
他方の形状のアダプタを検出した場合、スクランブル解除用カードであると判別し、所定のスクランブル放送の解除を許可することを特徴とするデジタル放送受信システム。
【請求項３】
前記一方の形状のアダプタが３．３Ｖ用、前記他方の形状のアダプタが５Ｖ用であることを特徴とする請求項１又は２記載のデジタル放送受信システム。
【請求項４】
前記検出スイッチは、前記一方の形状のアダプタでは押下され、前記他方の形状のアダプタでは押下されないことを特徴とする請求項１〜３の何れかに記載のデジタル放送受信システム。
【請求項５】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
一方の形状のアダプタを検出した場合、ラジオ用カードであると判別し、ラジオ放送の受信を許可し、
他方の形状のアダプタを検出した場合、スクランブル解除用カードであると判別し、所定のスクランブル放送の解除を許可することを特徴とするデジタル放送受信装置。
【請求項６】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
一方の形状のアダプタを検出した場合、スクランブル解除兼ラジオ用カードであると判別し、所定のスクランブル放送の解除とラジオ放送の受信とを許可し、
他方の形状のアダプタを検出した場合、スクランブル解除用カードであると判別し、所定のスクランブル放送の解除を許可することを特徴とするデジタル放送受信装置。
【請求項７】
前記一方の形状のアダプタが３．３Ｖ用、前記他方の形状のアダプタが５Ｖ用であることを特徴とする請求項５又は６記載のデジタル放送受信装置。
【請求項８】
前記検出スイッチは、前記一方の形状のアダプタでは押下され、前記他方の形状のアダプタでは押下されないことを特徴とする請求項５〜７の何れかに記載のデジタル放送受信装置。
【請求項９】
アダプタを介してデジタル放送受信装置のスロットに装着されるスクランブル解除兼ラジオ用カードであって、
所定のスクランブル放送の解除を行うデスクランブル部と、
ラジオ放送を受信するラジオ受信部とを備えたことを特徴とするスクランブル解除兼ラジオ用カード。
【発明の詳細な説明】
【技術分野】
【０００１】
本発明は、カードと、該カードが装着されるアダプタと、２種類の形状のアダプタを装着可能なスロットを有するデジタル放送受信装置と、を含むデジタル放送受信システムに関する。
【背景技術】
【０００２】
デジタルテレビ放送サービスにおいては、所定の対価を支払って正規の受信契約を結んだ視聴者のみが番組を正しく視聴することができるように、限定受信（ＣＡ：Conditional Access）システムが採用されている。
【０００３】
この限定受信システムでは、番組提供者側が、番組を構成する映像信号や音声信号にスクランブル処理を施して送信するとともに、正規の受信契約を交わした視聴者に対して、スクランブル解除用のカードを支給する。
【０００４】
そして、視聴者がデジタル放送受信装置にカードを装着することにより、受信した映像信号や音声信号に対してデスクランブル処理を施すことができ、番組を正しく視聴することが可能となる。デジタル放送受信装置としては、デジタルチューナ、デジタル放送受信対応テレビ、デジタル放送受信対応ハードディスクレコーダ等がある。
【０００５】
また、デジタル放送の方式は世界共通ではなく、各地域で異なった規格が採用されている。したがって、スクランブル解除用のカードも異なっている。例えば、日本ではスクランブル解除用のＢ−ＣＡＳカードを直接デジタル放送受信装置のスロットに差し込むようになっているが、欧州ではスクランブル解除用のカードを５Ｖ用アダプタに差し込み、それをデジタル放送受信装置のＣＩ（Common Interface）スロットに装着するようになっている。なお、ＣＩスロットには３．３Ｖ用アダプタも装着可能となっている。
【０００６】
ところで、以前からラジオ放送サービスが提供されており、テレビ放送とラジオ放送の両方を受信できる装置が提案されている。
【０００７】
例えば特許文献１には、ケーブルテレビ放送システムの契約者に対して、一般のテレビ受像機を用いてＦＭ文字放送の受信を可能にするテレビ受信機の構成が開示されている。
【０００８】
また例えば特許文献２には、分配器によって分岐された一方の出力信号からＦＭラジオ信号を出力するＦＭコンバータと、前記分配器によって分岐された他方の出力信号からテレビ受像機に映像信号を出力するＣＡＴＶコンバータとを具備したＣＡＴＶコンバータ装置が開示されている。
【特許文献１】特開平９−２２４２２９号公報
【特許文献２】特開昭６２−１４７８８６号公報
【発明の開示】
【発明が解決しようとする課題】
【０００９】
上記のように、デジタル放送受信装置には少なくともスクランブル解除用のカードを装着できるスロットが必要である。また、特許文献１や特許文献２では、テレビ放送とラジオ放送の両方を受信できる受信装置を提案している。しかしながら、特許文献１や特許文献２では、ラジオ放送を受信するためのチューナを予め装置に組み込んでおかなければならず、これには装置の大型化の問題や、部品点数の増加によるコスト上昇の問題がある。また、ラジオを必要としないユーザにとっては余計な機能である。
【００１０】
そこで、後からラジオチューナを搭載したカードなどを装着することでラジオ放送の受信を可能にすることが考えられる。しかし、そのためには新たにスロットを追加する必要があり、これにも装置の大型化の問題や、部品点数の増加によるコスト上昇の問題がある。
【００１１】
本発明は、既存のスロットを有効利用することによりスロットを増やすことなくラジオ放送の受信を可能にし、装置の大型化やコスト上昇の問題を解決したデジタル放送受信装置を提供することを目的とする。また、このデジタル放送受信装置を含むデジタル放送受信システムと、それを構成するスクランブル解除兼ラジオ用カードとを提供することも目的とする。
【課題を解決するための手段】
【００１２】
上記目的を達成するために本発明は、カードと、該カードが装着されるアダプタと、２種類の形状のアダプタを装着可能なスロットと制御部とを有するデジタル放送受信装置と、を含むデジタル放送受信システムにおいて、前記スロットは、装着されたアダプタの形状の違いを検出する検出スイッチを備え、前記デジタル放送受信装置の制御部は、一方の形状のアダプタを検出した場合、ラジオ用カードであると判別し、ラジオ放送の受信を許可し、他方の形状のアダプタを検出した場合、スクランブル解除用カードであると判別し、所定のスクランブル放送の解除を許可することを特徴とする。
【００１３】
この構成によると、ラジオ用カードとスクランブル解除用カードとのどちらが装着されているかをアダプタの形状の違いを利用して判別することができる。
【００１４】
また本発明は、カードと、該カードが装着されるアダプタと、２種類の形状のアダプタを装着可能なスロットと制御部とを有するデジタル放送受信装置と、を含むデジタル放送受信システムにおいて、前記スロットは、装着されたアダプタの形状の違いを検出する検出スイッチを備え、前記デジタル放送受信装置の制御部は、一方の形状のアダプタを検出した場合、スクランブル解除兼ラジオ用カードであると判別し、所定のスクランブル放送の解除とラジオ放送の受信とを許可し、他方の形状のアダプタを検出した場合、スクランブル解除用カードであると判別し、所定のスクランブル放送の解除を許可することを特徴とする。
【００１５】
この構成によると、スクランブル解除兼ラジオ用カードとスクランブル解除用カードとのどちらが装着されているかをアダプタの形状の違いを利用して判別することができる。
【００１６】
上記のデジタル放送受信システムにおいて、前記一方の形状のアダプタが３．３Ｖ用、前記他方の形状のアダプタが５Ｖ用であることが望ましい。
【００１７】
従来より、欧州のデジタル放送受信装置においては３．３Ｖ用と５Ｖ用の兼用のスロットが採用されているからである。
【００１８】
また上記のデジタル放送受信システムにおいて、前記検出スイッチは、前記一方の形状のアダプタでは押下され、前記他方の形状のアダプタでは押下されないことが望ましい。
【００１９】
この構成によると、検出スイッチとしてタクトスイッチなど安価なスイッチを採用することができる。
【００２０】
また本発明をデジタル放送受信装置に適用すると、カードが装着された２種類の形状のアダプタを装着可能なスロットと制御部とを有するデジタル放送受信装置において、前記スロットは、装着されたアダプタの形状の違いを検出する検出スイッチを備え、前記制御部は、一方の形状のアダプタを検出した場合、ラジオ用カードであると判別し、ラジオ放送の受信を許可し、他方の形状のアダプタを検出した場合、スクランブル解除用カードであると判別し、所定のスクランブル放送の解除を許可する構成となる。
【００２１】
また本発明をデジタル放送受信装置に適用すると、カードが装着された２種類の形状のアダプタを装着可能なスロットと制御部とを有するデジタル放送受信装置において、前記スロットは、装着されたアダプタの形状の違いを検出する検出スイッチを備え、前記制御部は、一方の形状のアダプタを検出した場合、スクランブル解除兼ラジオ用カードであると判別し、所定のスクランブル放送の解除とラジオ放送の受信とを許可し、他方の形状のアダプタを検出した場合、スクランブル解除用カードであると判別し、所定のスクランブル放送の解除を許可する構成となる。
【００２２】
同様に、上記のデジタル放送受信装置においては、前記一方の形状のアダプタが３．３Ｖ用、前記他方の形状のアダプタが５Ｖ用であることが望ましい。
【００２３】
また同様に、上記のデジタル放送受信装置においては、前記検出スイッチは、前記一方の形状のアダプタでは押下され、前記他方の形状のアダプタでは押下されないことが望ましい。
【００２４】
また本発明のスクランブル解除兼ラジオ用カードは、アダプタを介してデジタル放送受信装置のスロットに装着され、所定のスクランブル放送の解除を行うデスクランブル部と、ラジオ放送を受信するラジオ受信部とを備えたことを特徴とする。
【００２５】
このカードによれば、デスクランブル処理とラジオ放送の受信との両方の機能を提供することができる。
【発明の効果】
【００２６】
本発明によれば、一方の形状のアアダプタ及びスクランブル解除用カードが装着されている場合にはデスクランブル処理を許可し、他方の形状のアダプタ及びラジオ用カードが装着されている場合にはラジオ放送の受信を許可することにより、スロットを増やすことなくラジオ放送の受信を可能にし、多機能化を実現することができる。
【００２７】
また本発明によれば、一方の形状のアアダプタ及びスクランブル解除用カードが装着されている場合にはデスクランブル処理を許可し、他方の形状のアダプタ及びスクランブル解除兼ラジオ用カードが装着されている場合にはデスクランブル処理及びラジオ放送の受信を許可することにより、スロットを増やすことなくラジオ放送の受信を可能にし、多機能化を実現することができる。
【００２８】
また、スロットを増やすことがないので装置の大型化やコスト上昇の問題もない。また、ラジオを聴くためにラジオ受信機を準備する必要がないので、手間が掛からず素早くラジオ放送を聴くことができる。また、カードにラジオ受信部を搭載しており、デジタル放送受信装置のコストを抑えることができるので、ラジオ機能を必要としないユーザの負担が少なくなる。
【発明を実施するための最良の形態】
【００２９】
図１は、本発明のデジタル放送受信システムの概略構成を示すブロック図である。デジタル放送受信システム１０は、カード２０と、カード２０が装着されるアダプタ３０と、２種類の形状のアダプタを装着可能なデジタル放送受信装置４０と、アンテナ６０とを含んでいる。
【００３０】
そしてデジタル放送受信装置４０は、チューナ部４１と、復調＆ＦＥＣ部４２と、データ分離部４３と、映像・音声デコード部４４と、映像合成部４５と、音声Ｄ／Ａコンバータ４６と、スロット４７と、切替部４８と、検出スイッチ４９と、制御部５０とを備えている。
【００３１】
アンテナ６０は、チューナ部に接続されており、デジタル放送の放送電波を受信し、電気信号である放送信号に変換してチューナ部４１へ出力する。チューナ部４１は、アンテナ６０から入力された放送信号から制御部５０が指示する周波数の放送信号を抽出し、該抽出した放送信号に対して周波数変換を行って中間周波数信号を生成し、復調＆ＦＥＣ部４２へ出力する。
【００３２】
復調＆ＦＥＣ部４２は、中間周波数信号に対して復調及びエラー訂正（ＦＥＣ）等を行ってＴＳ（トランスポートストリーム）を生成し、スクランブルの掛かっていないＴＳの場合はデータ分離部４３へ出力し、スクランブルの掛かっているＴＳの場合はカード２０へ出力する。装着されているカード２０が後述するスクランブル解除用カード又はスクランブル解除兼ラジオ用カードである場合は、カード内でＴＳがデスクランブル処理されデータ分離部４３へ出力される。
【００３３】
データ分離部４３は、入力されたＴＳから映像データ及び音声データを分離し、映像データ及び音声データは映像・音声デコード部４４へ出力する。映像・音声デコード部４４は、入力された映像データ及び音声データをデコードし、デコードした映像データを映像合成部４５へ出力し、デコードした音声データを音声Ｄ／Ａコンバータ４６へ出力する。
【００３４】
映像合成部４５は、入力された映像データと、自ら生成した映像データとを合成し、合成データに基づく表示用信号を表示装置（不図示）へ出力する。また、映像合成部４５は、上記合成を行わず、自ら生成した映像データに基づく表示用信号を出力することも行う。音声Ｄ／Ａコンバータ４６は、入力された音声データをデジタルからアナログに変換し、スピーカ（不図示）へ出力する。なお、表示装置及びスピーカは、デジタル放送受信装置４０と一体であってもよいし、外部装置として接続するものであってもよい。
【００３５】
スロット４７は、２種類の形状のアダプタ３０を装着可能なスロットである。ここでは、駆動電圧が５Ｖ用と３．３Ｖ用のアダプタを装着できるものとして説明する。切替部４８は制御部５０とスロット４７との間に設けられ、制御部５０の指示によって５Ｖ用と３．３Ｖ用に回路を切り替える。検出スイッチ４９は、スロット４７内に設けられ、スロット４７に装着されるアダプタ３０の形状の違いを検出する。検出スイッチ４９の詳細については後述する。
【００３６】
制御部５０は、デジタル放送受信装置４０全体を制御するものであり、チューナ部４１に抽出する放送信号の周波数を指示したり、文字や図形等の画像データを生成して映像合成部４５へ出力したりする。
【００３７】
カード２０としては、受信契約を結んだ視聴者に支給されるスクランブル解除用カードと、デジタル放送受信装置４０の付属品であって、ラジオ放送を受信することができるラジオ用カードと、両者の機能を兼ね備えたスクランブル解除兼ラジオ用カードとがある。スクランブル解除用カードは５Ｖ用アダプタに装着して用い、ラジオ用カード及びスクランブル解除兼ラジオ用カードは３．３Ｖ用アダプタに装着して用いる仕様となっている。なお、カード２０の形態には特に限定はなく、例えば、ＩＣカード、ＳＤメモリカード、ＣＦカードなどを用いることができる。
【００３８】
図２に、５Ｖ用アダプタにスクランブル解除用カードが装着された状態のブロック図を示し、図３に、３．３Ｖ用アダプタにラジオ用カードが装着された状態のブロック図を示し、図４に、３．３Ｖ用アダプタにスクランブル解除兼ラジオ用カードが装着された状態のブロック図を示す。
【００３９】
図２に示すように、スクランブル解除用カード２１は５Ｖ用アダプタ３１に装着して使用する。スクランブル解除用カード２１には、解除キー２２と、デスクランブル部２３とが内蔵されている。解除キー２２は、スクランブルの掛かった所定の番組を解除するためのキー情報であり、この解除キー２２の種類によって受信契約を結んだ番組のスクランブル解除を行うことができる。デスクランブル部２３は、復調＆ＦＥＣ部４２から入力されたＴＳをデスクランブル処理し、データ分離部４３へ出力する。以後の処理はスクランブルの掛かっていないＴＳと同様に行うことができる。
【００４０】
図３に示すように、ラジオ用カード２５は３．３Ｖ用アダプタ３２に装着して使用する。ラジオ用カード２５には、ラジオ受信部２６が内蔵され、ラジオ受信部２６にはアンテナ２８が接続されている。ラジオ受信部２６は、ラジオ放送を受信し、復調して音声データや文字データを出力するものであり、制御部５０によって制御される。なお、ラジオ放送受信後の復調などの処理をデジタル放送受信装置４０の各部で行うことができる場合は兼用すればよい。その場合、ラジオ受信部２６はラジオチューナのみを有すればよいので、部品点数削減によりコストを抑えることができる。
【００４１】
図４に示すように、スクランブル解除兼ラジオ用カード２７は３．３Ｖ用アダプタ３２に装着して使用する。スクランブル解除兼ラジオ用カード２７は、上記のスクランブル解除用カード２１とラジオ用カード２５の機能を合わせもったカードであり、解除キー２２と、デスクランブル部２３と、ラジオ受信部２６とが内蔵されている。このスクランブル解除兼ラジオ用カード２７によれば、デスクランブル処理とラジオ放送の受信とを行うことができる。
【００４２】
図５は、５Ｖ用アダプタ３１の外観図であり、（ａ）は平面図、（ｂ）は正面図、（ｃ）は側面図である。図６は、３．３Ｖ用アダプタ３２の外観図であり、（ａ）は平面図、（ｂ）は正面図、（ｃ）は側面図である。図４及び図５では図示していないが、カード２１、２５はアダプタ３１、３２の背面側から挿入されてアダプタ３１、３２内に装着される。
【００４３】
図５と図６を比較するとわかるように、５Ｖ用アダプタ３１及び３．３Ｖ用アダプタ３２の右側面の正面端部には、それぞれ切り欠き３１ａ、３１ｂが形成されており、切り欠き３１ａの厚みが切り欠き３２ａの厚みよりも厚くなっている。５Ｖ用アダプタ３１及び３．３Ｖ用アダプタ３２のそれ以外の形状は同じである。
【００４４】
次に、検出スイッチ４９の詳細について説明する。図７は、５Ｖ用アダプタ３１が装着された状態の検出スイッチ４９の外観図であり、（ａ）は平面図、（ｂ）は正面図である。図８は、３．３Ｖ用アダプタ３２が装着された状態の検出スイッチ４９の外観図であり、（ａ）は平面図、（ｂ）は正面図である。
【００４５】
検出スイッチ４９は、アダプタ３１、３２が装着されたときに切り欠き３１ａには触れず（図７参照）、切り欠き３２ａの下方のアダプタ側面３２ｂで押下されるように（図８参照）、スロット４７の側面４７ａに配設されている。また検出スイッチ４９は、略直方体であり、少なくとも挿入側端部４９ａの角は、丸めるか斜めに形成しておくことが望ましい。３．３Ｖ用アダプタ３２が挿入される際に検出スイッチ４９がスムーズに押下されるようにするためである。また検出スイッチ４９は、押下されていない状態でＯＦＦ、押下されている状態でＯＮとなるスイッチであり、タクトスイッチなどを用いることができる。
【００４６】
なお、検出スイッチ４９は上記の形状に限定されることはなく、例えば、棒状（針状）にしてアダプタ３０の挿入方向に押下されるように、切り欠き３１ａに対向するスロット４７の奥面４７ｂに配設してもよい。
【００４７】
次に、スクランブル解除及びラジオ放送の受信に関するデジタル放送受信装置４０の動作について説明する。図９は、デジタル放送受信装置４０の動作を示すフローチャートである。
【００４８】
まず制御部５０は、ステップＳ１０においてカード２０及びアダプタ３０がスロット４７に装着されたか否かを判別する。これは、制御部５０に入力されるカードディテクト信号によって判別される。例えば、スロット４７に何も装着されていない場合にはカードディテクト信号がｈｉｇｈになるようにし、カード２０及びアダプタ３０が装着された場合にはカードディテクト信号がｌｏｗとなるようにすれば判別できる。
【００４９】
ステップＳ１０においてカード２０及びアダプタ３０がスロット４７に装着されていないと判別した場合は、ステップＳ１１へ進んで映像及び音声をデスクランブル処理なしで出力する。つまり、スクランブルの掛かっていない番組は視聴できるがスクランブルの掛かった番組は視聴できない状態である。
【００５０】
一方、ステップＳ１０においてカード２０及びアダプタ３０がスロット４７に装着されていると判別した場合は、ステップＳ１２へ進んで検出スイッチ４９のＯＮ／ＯＦＦを判別する。ステップＳ１２においてＯＦＦと判別すると、５Ｖ用アダプタ３１、つまりスクランブル解除用カード２１が装着されていることがわかるので、ステップＳ１３へ進んでデスクランブル処理を許可する。
【００５１】
一方、ステップＳ１２においてＯＮと判別すると、３．３Ｖ用アダプタ３２、つまりラジオ用カード２５又はスクランブル解除兼ラジオ用カード２７のどちらかが装着されていることがわかるので、ステップＳ１４へ進んでラジオ用カード２５かスクランブル解除兼ラジオ用カード２７のどちらが装着されているか判別する。この判別は、例えば制御部５０がカードへデスクランブル部２３の存在を確認する信号と、ラジオ受信部２６の存在を確認する信号とをそれぞれ出力し、カードから応答信号があったものは存在していると判別すればよい。
【００５２】
ステップＳ１４においてラジオ用カード２５であると判別した場合は、ステップＳ１５へ進んで記録部２６への録画を許可する。ラジオ放送の受信が許可されると、ユーザはリモコン等の操作部（不図示）を操作することにより、所望のラジオ番組を聴くことができる。具体的には、リモコンからラジオ放送受信要求のコマンドが送信され、それを受信したデジタル放送受信装置４０は、制御部５０でコマンドを解析する。そして制御部５０は、解析した内容をラジオ受信部２６へ指示する。これにより、ラジオ受信部２６によってラジオ放送の番組の受信動作が開始され、受信した番組は最終的に音声Ｄ／Ａ４６からスピーカ（不図示）に出力される。
【００５３】
一方、ステップＳ１４においてスクランブル解除兼ラジオ用カード２７であると判別した場合は、ステップＳ１６へ進んでデスクランブル処理とラジオ放送の受信とを許可する。デスクランブル処理とラジオ放送の受信の方法は上記と同様である。
【００５４】
このように、５Ｖ用アダプタ３１及びスクランブル解除用カード２１が装着されている場合にはデスクランブル処理を許可し、３．３Ｖ用アダプタ３２及びラジオ用カード２５が装着されている場合にはラジオ放送の受信を許可し、３．３Ｖ用アダプタ３２及びスクランブル解除兼ラジオ用カード２７が装着されている場合にはデスクランブル処理及びラジオ放送の受信を許可することにより、スロットを増やすことなくラジオ放送の受信を可能にし、多機能化を実現することができる。また、スロットを増やすことがないので装置の大型化やコスト上昇の問題もない。また、ラジオを聴くためにラジオ受信機を準備する必要がないので、手間が掛からず素早くラジオ放送を聴くことができる。また、カードにラジオ受信部２６を搭載しており、デジタル放送受信装置４０のコストを抑えることができるので、ラジオ機能を必要としないユーザの負担が少なくなる。
【産業上の利用可能性】
【００５５】
本発明のデジタル放送受信装置は、セットトップボックスをはじめとし、テレビ、ＤＶＤレコーダやＨＤＤレコーダ等の記録再生装置、それらの複合機に利用することができる。
【図面の簡単な説明】
【００５６】
【図１】本発明のデジタル放送受信システムの概略構成を示すブロック図である。
【図２】５Ｖ用アダプタにスクランブル解除用カードが装着された状態のブロック図である。
【図３】３．３Ｖ用アダプタにラジオ用カードが装着された状態のブロック図である。
【図４】３．３Ｖ用アダプタにスクランブル解除兼ラジオ用カードが装着された状態のブロック図である。
【図５】５Ｖ用アダプタの外観図であり、（ａ）は平面図、（ｂ）は正面図、（ｃ）は側面図である。
【図６】３．３Ｖ用アダプタの外観図であり、（ａ）は平面図、（ｂ）は正面図、（ｃ）は側面図である
【図７】５Ｖ用アダプタが装着された状態の検出スイッチの外観図であり、（ａ）は平面図、（ｂ）は正面図である。
【図８】３．３Ｖ用アダプタが装着された状態の検出スイッチの外観図であり、（ａ）は平面図、（ｂ）は正面図である。
【図９】デジタル放送受信装置の動作を示すフローチャートである。
【符号の説明】
【００５７】
１０    デジタル放送受信システム
２０    カード
２１    スクランブル解除用カード
２５    ラジオ用カード
２６    ラジオ受信部
２７    スクランブル解除兼ラジオ用カード
３０    アダプタ
３１    ５Ｖ用アダプタ
３２    ３．３Ｖ用アダプタ
４７    スロット
４９    検出スイッチ
【図１】
2008294892.tif 000003
【図２】
2008294892.tif 000004
【図３】
2008294892.tif 000005
【図４】
2008294892.tif 000006
【図５】
2008294892.tif 000007
【図６】
2008294892.tif 000008
【図７】
2008294892.tif 000009
【図８】
2008294892.tif 000010
【図９】
2008294892.tif 000011